(57)【要約】【課題】省スペースでありながら、互いに輝度の異なる複数の表示像を知覚し易く表示することができるヘッドアップディスプレイ装置の提供。【解決手段】ウィンドシールド９０に光を投影することにより、情報表示像１１及び情報表示像１１よりも高輝度なインジケータ表示像１３を空間中に結像させるヘッドアップディスプレイ装置である。ヘッドアップディスプレイ装置１００は、表示画像３１を形成し、発光ダイオード２１からの光を表示画像３１に透過させることにより、情報表示像１１として結像される光を生成する画像生成部３０と、表示画像３１を透過する光の透過方向ＴＤ１と交差する方向において画像生成部３０と並列に配置され、インジケータ表示像１３として結像される光を、透過方向ＴＤ１に沿って出射させるインジケータフィルム５０と、を備える。【選択図】図６
2012163705.tif 000002
【特許請求の範囲】
【請求項１】
光源部から放出された光を透光性の投影部材に投影することにより、情報を表示する第一表示像及び前記第一表示像よりも高輝度で情報を表示する第二表示像を空間中に結像させるヘッドアップディスプレイ装置であって、
前記第一表示像の表示態様に対応する透過部分を形成し、前記光源部から放出された光を前記透過部分に透過させることにより、前記第一表示像として結像される光を生成する第一表示像生成部と、
前記第一透過部を透過する光の透過方向と交差する方向において前記第一表示像生成部と並列に配置され、前記第二表示像の表示態様に対応するように生成した前記第二表示像として結像される光を、前記透過方向に沿って出射させる第二表示像生成部と、
を備えることを特徴とするヘッドアップディスプレイ装置。
【請求項２】
前記光源部は、前記第一表示像生成部に供給される光を放出する第一光源、及び前記第二表示像生成部に供給される光を放出する第二光源、を有し、
前記第一表示像生成部は、前記透過部分である第一透過部分を形成し、前記第一光源から放出された光を前記第一透過部分に透過させることにより、前記第一表示像として結像される光を生成し、
前記第二表示像生成部は、前記第二表示像の表示態様に対応する第二透過部分を形成し、前記第二光源から放出された光を前記透過方向に沿って前記第二透過部分に透過させることにより、前記第二表示像として結像される光を生成することを特徴とする請求項１に記載のヘッドアップディスプレイ装置。
【請求項３】
前記第一光源による光の放出と前記第二光源による光の放出とを共に制御する制御手段、をさらに備えることを特徴とする請求項２に記載のヘッドアップディスプレイ装置。
【請求項４】
前記第二光源から放出された光を、前記第二透過部分に導光し、前記透過方向に沿って前記第二透過部分に透過させる導光部、をさらに備えることを特徴とする請求項２又は３に記載のヘッドアップディスプレイ装置。
【請求項５】
前記第一表示像生成部は、前記第一表示像の表示態様に対応した表示画像を前記透過部分として形成し、前記光源から放出された光を前記表示画像に透過させることにより、前記第一表示像として結像される光を生成する液晶パネル、を有することを特徴とする請求項１〜４のいずれか一項に記載のヘッドアップディスプレイ装置。
【請求項６】
前記第二表示像生成部は、前記液晶パネルの外縁に沿って帯状に延伸することを特徴とする請求項５に記載のヘッドアップディスプレイ装置。
【請求項７】
前記第一表示像生成部を収容する筐体、をさらに備え、
前記筐体は、前記第二表示像として結像される光を前記透過方向に沿って出射させる姿勢にて、前記第二表示像生成部を保持する保持部を有することを特徴とする請求項１〜６のいずれか一項に記載のヘッドアップディスプレイ装置。
【発明の詳細な説明】
【技術分野】
【０００１】
本発明は、光源部から放出された光をウィンドシールド等の投影部材に投影することにより、情報を表示する表示像を空間中に結像させるヘッドアップディスプレイ装置に関する。
【背景技術】
【０００２】
従来、車両のウィンドシールドの前方に表示像を結像させることにより、視認者に情報を表示するヘッドアップディスプレイ装置が知られている。このような装置の一種として、例えば特許文献１には、液晶パネル等の表示器と、光源部としての蛍光表示管とを備えるヘッドアップディスプレイ装置が開示されている。このヘッドアップディスプレイ装置において、表示器は、空間中に結像される情報表示の形状及び発光色等の表示態様に対応した画像を形成する。表示器は、蛍光表示管から放出された光を画像に透過させることにより、情報表示の表示像として結像される光を生成する。
【０００３】
また、特許文献２には、発光ダイオード等の複数の点光源を備え、ウィンドシールドの前方にドット情報を表示する車両用表示装置が開示されている。この車両用表示装置において、複数の点光源の形状及び光源色は、ドット情報の形状及び発光色等の表示態様に対応している。各点光源は、ドット情報の表示像として結像される光を生成し、ウィンドシールドに向けて出射させる。
【先行技術文献】
【特許文献】
【０００４】
【特許文献１】実開平６−６８９５６号公報
【特許文献２】特開２００９−２１７６８２号公報
【発明の概要】
【発明が解決しようとする課題】
【０００５】
さて、特許文献１に開示のヘッドアップディスプレイ装置において、情報表示の表示像として結像される光は、表示器を透過する。すると、表示器の低い光の透過率に起因して、視認者の注意を惹くための十分な表示像の輝度が、確保されなくなるおそれがあった。一方で、特許文献２に開示の車両用表示装置において、ドット情報の表示像として結像される光は、表示器を透過していない。故に、ドット情報の表示像は、視認者の注意を惹くための十分な輝度が確保され易い。
【０００６】
そこで、本願発明者らは、特許文献１の情報表示のような表示像に加えて、特許文献２のドット情報のような高輝度の表示像を表示するヘッドアップディスプレイ装置を想到した。しかし、特許文献１のヘッドアップディスプレイ装置に相当する構成と、特許文献２の車両用表示装置に相当する構成とを別々に設けてしまうと、互いに輝度の異なる二つの表示像を空間中に結像させることができたとしても、装置は大型化してしまう。
【０００７】
さらに、別々に設けられた各構成からの光によって二つの表示像を並列で表示させる場合、特許文献１の表示器を透過する光の透過方向と、特許文献２の構成から出射される光の出射方向とは、ウィンドシールドの湾曲等に応じて、個々に調整される必要がある。故に、情報表示の表示像として結像される光及びドット情報の表示像として結像される光は、互いに異なる位置から、異なる方向に出射される。以上により、各構成から出射された光は、全く異なる光路を経て、情報表示の表示像及びドット情報の表示像として空間中に結像されてしまう。そのため、ウィンドシールドから情報表示の表示像までの光路の距離と、ウィンドシールドからドット情報の表示像までの光路の距離との差は、拡大する。故に、これら二つの表示像を視認する視認者は、大きな視点移動を伴わなければ、これら二つの表示像を知覚することができなかった。
【０００８】
本願発明は、上記問題点に鑑みてなされたものであって、その目的は、省スペースでありながら、互いに輝度の異なる第一表示像及び第二表示像を知覚し易く表示することができるヘッドアップディスプレイ装置を提供することである。
【課題を解決するための手段】
【０００９】
上記目的を達成するために、請求項１に記載の発明では、光源部から放出された光を透光性の投影部材に投影することにより、情報を表示する第一表示像及び第一表示像よりも高輝度で情報を表示する第二表示像を空間中に結像させるヘッドアップディスプレイ装置であって、第一表示像の表示態様に対応する透過部分を形成し、光源部から放出された光を透過部分に透過させることにより、第一表示像として結像される光を生成する第一表示像生成部と、第一透過部を透過する光の透過方向と交差する方向において第一表示像生成部と並列に配置され、第二表示像の表示態様に対応するように生成した第二表示像として結像される光を、透過方向に沿って出射させる第二表示像生成部と、を備えることヘッドアップディスプレイ装置とする。
【００１０】
この発明によれば、第一表示像の表示態様に対応する透過部分を透過する光の透過方向に沿って、第二表示像生成部は、第二表示像の表示態様に対応するように生成した第二表示像として結像される光を出射させる。故に、第一表示像として結像される光及び第二表示像として結像される光は、互いに並列で配置された第一表示像生成部及び第二表示像生成部から、共に透過方向に出射される。以上により、透過部分を透過する光及び第二表示像生成部から出射される光は、実質的に同一の光路を経て、互いに並列して表示される第一表示像及び第二表示像として空間中に結像される。そのため、投影部材から第一表示像までの光路の距離と、投影部材から第二表示像までの光路の距離との差は、低減される。故に、第一表示像及び第二表示像を視認する視認者は、少ない視点移動によって、これら第一表示像及び第二表示像を知覚することができる。
【００１１】
さらに、第一表示像として結像される光を生成する第一表示像生成部と、第二表示像として結像される光を生成する第二表示像生成部とは、第一表示像生成部の透過部分を透過する光の透過方向と交差する方向において、並列に配置されている。故に、第一表示像に加えて、第一表示像よりも高輝度な第二表示像を空間中に結像させるヘッドアップディスプレイ装置であっても、装置の大型化は、抑制される。
【００１２】
したがって、ヘッドアップディスプレイ装置は、省スペースでありながら、互いに輝度の異なる第一表示像及び第二表示像を知覚し易く表示することができる。
【００１３】
請求項２に記載の発明では、第一表示像生成部に供給される光を放出する第一光源、及び第二表示像生成部に供給される光を放出する第二光源、を有し、第一表示像生成部は、透過部分である第一透過部分を形成し、第一光源から放出された光を第一透過部分に透過させることにより、第一表示像として結像される光を生成し、第二表示像生成部は、第二表示像の表示態様に対応する第二透過部分を形成し、第二光源から放出された光を透過方向に沿って第二透過部分に透過させることにより、第二表示像として結像される光を生成することを特徴とする。
【００１４】
この発明によれば、光源部は、第一表示像生成部に供給される光を放出する第一光源と、第二表示像生成部に供給される光を放出する第二光源とを有している。故に、第一光源に対する第二光源の輝度の高さを確保することによって、第二透過部分を透過させた光の結像による第二表示像は、第一透過部分を透過させた光の結像による第一表示像よりも、確実に高輝度にて表示され得る。以上により、ヘッドアップディスプレイ装置は、第一表示像及び第一表示像よりも確実に高輝度である第二表示像を、知覚し易く表示することができる。
【００１５】
請求項３に記載の発明では、ヘッドアップディスプレイ装置は、第一光源による光の放出と第二光源による光の放出とを共に制御する制御手段、をさらに備えることを特徴とする。
【００１６】
この発明によれば、第一光源による光の放出と、第二光源による光の放出とが、制御手段によって共に制御される。故に、第一光源及び第二光源を、別々の構成によって制御する場合よりも、ヘッドアップディスプレイ装置は、小型化され得る。加えて、第一表示像の表示されるタイミングと、第二表示像の表示されるタイミングとは、共通の制御手段によって的確に制御され得る。したがって、ヘッドアップディスプレイ装置は、確実に省スペースでありながら、知覚し易い第一表示像及び第二表示像を的確なタイミングで表示することができる。
【００１７】
請求項４に記載の発明では、ヘッドアップディスプレイ装置は、第二光源から放出された光を、第二透過部分に導光し、透過方向に沿って第二透過部分に透過させる導光部、をさらに備える。
【００１８】
この発明によれば、導光部が、第二光源から放出された光を第二透過部分に導光する。第二光源から放出された光が導光部の導光作用によって第二透過部分に確実に導かれるので、第二光源の位置にかかわらず、第二表示像生成部は、並列する第一表示像生成部に近接して位置し得る。故に、第二表示像生成部を備えるヘッドアップディスプレイ装置であっても、装置の大型化は、確実に抑制される。
【００１９】
さらに、導光部は、第二光源から放出された光を透過方向に沿って第二透過部分に透過させる。故に、第二透過部分を透過する光は、第一透過部分を透過する光と実質的に同一の光路を確実に辿り得る。以上により、視認者は、少ない視点移動によって、これら第一表示像及び第二表示像を確実に知覚することができる。したがって、ヘッドアップディスプレイ装置は、確実に省スペースでありながら、第一表示像及び第二表示像をさらに知覚し易く表示することができる。
【００２０】
請求項５に記載の発明では、第一表示像生成部は、第一表示像の表示態様に対応した表示画像を透過部分として形成し、光源から放出された光を表示画像に透過させることにより、第一表示像として結像される光を生成する液晶パネル、を有することを特徴とする。
【００２１】
この発明によれば、液晶パネルは、一般に複数の表示画像を表示することができる。故に、透過部分を形成する構成として液晶パネルを用いることで、ヘッドアップディスプレイ装置は、表示態様の異なる複数の第一表示像によって、種々の情報を表示することができる。
【００２２】
一方で、液晶パネルの光の透過率は、一般に低い。故に、視認者の注意を惹くための十分な第一表示像の輝度が、確保され難くなる。しかし、第二表示像生成部によって出射される光は、第一表示像と並列し且つ第一表示部よりも高輝度な第二表示像として結像される。故に、ヘッドアップディスプレイ装置は、第二表示像によって視認者の注意を惹き、第一表示像によって種々の情報を視認者に示すことができる。以上のように、第二表示像生成部と液晶パネルを有する第一表示像生成部とを備えることにより、ヘッドアップディスプレイ装置は、第一表示像及び第二表示像の協働によって、種々の情報を視認者に知覚し易く表示できる。
【００２３】
請求項６に記載の発明では、第二表示像生成部は、液晶パネルの外縁に沿って帯状に延伸することを特徴とする。
【００２４】
この発明によれば、液晶パネルの外縁に沿って帯状に延伸する第二表示像生成部は、第一表示像生成部と並列に配置されても、第一表示像生成部及び第二表示像生成部の全体の体積を増加させ難い。故に、ヘッドアップディスプレイ装置の大型化は、確実に抑制される。加えて、第二表示像形成部が液晶パネルの外縁に沿って帯状に延伸する形態であることにより、第二表示像生成部の光を出射させる面積、ひいては第二表示像の大きさは、拡大される。故に、第二表示像は、視認者の注意を惹く作用を確実に発揮できる。これらにより、ヘッドアップディスプレイ装置は、確実に省スペースでありながら、第一表示像及び第二表示像の協働によって、種々の情報を視認者にさらに知覚し易く表示できる。
【００２５】
請求項７に記載の発明では、ヘッドアップディスプレイ装置は、第一表示像生成部を収容する筐体、をさらに備え、筐体は、第二表示像として結像される光を透過方向に沿って出射させる姿勢にて、第二表示像生成部を保持する保持部を有することを特徴とする。
【００２６】
この発明によれば、第一表示像生成部を収容する筐体が、第二表示像生成部を保持部によって保持している。故に、第二表示像生成部から出射される光の方向は、第一表示像生成部の透過部分における光の透過方向に、精度良く沿い得る。以上により、第一表示像及び第二表示像は、空間中に正しく並んで結像され得る。故に、視認者は、少ない視点移動によって、これら第一表示像及び第二表示像を確実に知覚することができる。
【００２７】
加えて、第一表示像生成部を収容する筐体が第二表示像生成部を保持する保持部を有することにより、ヘッドアップディスプレイ装置は、第二表示像生成部を保持させるための構成を、筐体とは別に備えなくてもよくなる。故に、ヘッドアップディスプレイ装置の大型化は、確実に抑制される。これらにより、ヘッドアップディスプレイ装置は、確実に省スペースでありながら、第一表示像及び第二表示像をさらに知覚し易く表示することができる。
【図面の簡単な説明】
【００２８】
【図１】本発明の一実施形態によるヘッドアップディスプレイ装置の車両における配置を説明するための図である。
【図２】ヘッドアップディスプレイ装置によって投影される表示像を詳しく説明するための図であって、（ａ）は、燃料残量についての情報を報知する情報表示像を示す図であり、（ｂ）は、ナビゲーション装置の指示する進行方向についての情報を報知する情報表示像を示す図であり、（ｃ）は、ＡＣＣ装置の作動状態についての情報を報知する情報表示像を示す図である。
【図３】ヘッドアップディスプレイ装置によって投影された光が、空間中に結像される仕組みを詳しく説明するための図である。
【図４】インナーケースに収容された構成を説明するための断面図である。
【図５】本発明の一実施形態によるヘッドアップディスプレイ装置の電気的構成を説明するための図である。
【図６】ヘッドアップディスプレイ装置の特徴部分であるインジケータフィルムの近傍を拡大した拡大図であって、図４の領域ＶＩを拡大した拡大図である。
【図７】情報表示像及びインジケータ表示像を表示させるために、制御部によって実施される制御フローを示すフローチャートである。
【図８】図６の変形例を示す図である。
【図９】図６の別の変形例を示す図である。
【発明を実施するための形態】
【００２９】
以下、本発明の一実施形態を図面に基づいて説明する。
【００３０】
本発明の一実施形態によるヘッドアップディスプレイ装置１００は、図１に示されるように、車両のインスツルメントパネル９１内に収容されている。ヘッドアップディスプレイ装置１００は、ウィンドシールド９０等の透光性の投影部材に光を投影することにより、ウィンドシールド９０よりも車両前方の空間中に、図２に示されるような情報表示像１１及びインジケータ表示像１３を結像させる。
【００３１】
具体的に、ヘッドアップディスプレイ装置１００は、ウィンドシールド９０において予め規定されている情報投影領域１５及びインジケータ投影領域１７に、情報表示像１１及びインジケータ表示像１３として結像される光を投影する。情報表示像１１及びインジケータ表示像１３として結像される光は、図３に示されるように、ウィンドシールド９０によって、車両室内の運転席に向けて反射される。ウィンドシールド９０によって反射された光は、運転席に着座する視認者に受け取られる。すると、視認者は、図２に示すように、情報投影領域１５の車両前方に結像された情報表示像１１と、インジケータ投影領域１７の車両前方に結像されたインジケータ表示像１３とを視認する。
【００３２】
情報投影領域１５に投影される情報表示像１１は、図２（ａ）に示されるような車両の燃料タンク内の燃料残量が少なくなったことの警告を、情報として表示する。加えて、情報表示像１１は、ナビゲーションシステムによる車両の進行方向の指示（図２（ｂ）参照）、及び自車両を前走車両に追従走行させるアダプティブクルーズコントロール（ＡＣＣ）装置の作動状態（図２（ｃ）参照）等を、情報として表示する。
【００３３】
インジケータ投影領域１７は、情報投影領域１５の鉛直方向下側に位置している。インジケータ投影領域１７に投影されるインジケータ表示像１３は、車両の水平方向に沿って帯状に延伸する形状である。インジケータ表示像１３は、視認者の視線を情報表示像１１に誘導するために、情報表示像１１よりも高輝度で、情報表示像１１と並んで表示される。インジケータ表示像１３は、例えば誘目性の高いオレンジ色の発光色にて表示される。インジケータ表示像１３は、継続的に表示されていても、点滅するように断続的に表示されていてもよい。インジケータ表示像１３は、視認者の視線を惹き付けて情報表示像１１に誘導することにより、情報表示像１１に表示された情報を視認者に早急に知覚させる。
【００３４】
（基本構成）
まず、ヘッドアップディスプレイ装置１００の基本構成について、図３及び図４に基づいて説明する。
【００３５】
ヘッドアップディスプレイ装置１００は、液晶パネル照明部２０、画像生成部３０、インナーケース６０、反射鏡群７５、及びアウターケース７０を備えている。
【００３６】
液晶パネル照明部２０は、主基板２６、発光ダイオード２１、第一レンズ２３、拡散板２５、及び第二レンズ２４を有している。主基板２６は、板状の回路基板である。主基板２６は、インナーケース６０によって保持されている。主基板２６において、第一レンズ２３と対向する実装面には、複数の発光ダイオード２１が実装されている。発光ダイオード２１は、画像生成部３０に供給される光を放出する光源部である。発光ダイオード２１は、電流の印加によって、例えば白色光を第一レンズ２３に向けて放出する。
【００３７】
第一レンズ２３、拡散板２５、及び第二レンズ２４は、アクリル樹脂又はポリカーボネート樹脂等の透光性の樹脂材料によって形成されている。第一レンズ２３の光軸ＯＡ１と第二レンズ２４の光軸ＯＡ２とが重なるように、第一レンズ２３及び第二レンズ２４は、インナーケース６０に取り付けられている。第一レンズ２３は、平面状の入射面２３ａ及び凸レンズ状の出射面２３ｂを有している。入射面２３ａは、主基板２６において発光ダイオード２１の実装されている実装面に沿う平面である。第一レンズ２３は、発光ダイオード２１から放出された光を、入射面２３ａから第一レンズ２３内に入射させる。第一レンズ２３は、出射面２３ｂの屈折作用によって、出射面２３ｂから出射される光を、第二レンズ２４に向けて屈折させる。
【００３８】
拡散板２５は、板状に形成されている。拡散板２５の両表面には、微細な凹凸であるシボが形成されている。拡散板２５は、第一レンズ２３と第二レンズ２４との間に配置されている。拡散板２５は、シボによる拡散作用によって、第一レンズ２３から出射された光を拡散させる。拡散板２５は、第一レンズ２３の出射面２３ｂから出射された光の輝度斑を低減し、第二レンズ２４の入射面２４ａに向けて出射させる。
【００３９】
第二レンズ２４は、凸レンズ状の入射面２４ａ及び出射面２４ｂを有している。第二レンズ２４は、拡散板２５を通過した光を、入射面２４ａの屈折作用によって収束させつつ、第二レンズ２４内に入射させる。第二レンズ２４は、出射面２４ｂの屈折作用によって、出射面２４ｂから出射される光を、第二レンズ２４の光軸ＯＡ２に沿う方向に屈折させる。
【００４０】
画像生成部３０は、ドットマトリクス方式の液晶パネル３０ａを有している。液晶パネル３０ａは、長手方向を有する板状である。液晶パネル３０ａは、表示画面の板面方向に沿って配列された複数の画素を制御することにより、情報表示像１１の表示態様に対応する表示画像３１を透過部分として形成する。液晶パネル３０ａは、液晶パネル照明部２０から放出された光を表示画像３１に透過させることにより、情報表示像１１として結像される光を生成する。液晶パネル３０ａの板厚方向は、第一レンズ２３及び第二レンズ２４の光軸ＯＡ１，ＯＡ２に対して、僅かに傾斜している。尚、第一レンズ２３及び第二レンズ２４の光軸ＯＡ１，ＯＡ２に沿う方向であって、表示画像３１を透過する光の進行方向を、以下、透過方向ＴＤ１という。
【００４１】
インナーケース６０は、液晶パネル照明部２０及び画像生成部３０等を収容している。インナーケース６０は、アウターケース７０に収容され、当該アウターケース７０に固定されている。インナーケース６０は、リヤカバー６１、リヤケース部６２、フロントケース部６３、及びフロントプレート６５を有している。リヤカバー６１、リヤケース部６２、フロントケース部６３、及びフロントプレート６５は、遮光性の樹脂材料によって形成されている。
【００４２】
リヤカバー６１は、主基板２６を保持している。リヤケース部６２は、リヤカバー６１の透過方向ＴＤ１に位置し、第一レンズ２３及び拡散板２５等を支持している。フロントケース部６３は、リヤケース部６２の透過方向ＴＤ１に位置し、リヤケース部６２と協働で第二レンズ２４を支持している。フロントケース部６３の透過方向ＴＤ１には、フロントプレート６５が取り付けられている。フロントケース部６３及びフロントプレート６５は、協働で液晶パネル３０ａ等を支持している。フロントプレート６５には、第一通過窓６５ａが形成されている。画像生成部３０から出射された光は、透過方向ＴＤ１に沿って第一通過窓６５ａを通過する。
【００４３】
反射鏡群７５は、アウターケース７０に収容され、当該アウターケース７０に固定されている。反射鏡群７５は、平面鏡７８及び凹面鏡７６を有している。平面鏡７８及び凹面鏡７６は、透光性の樹脂材料又はガラス等の板材に、アルミニウム等の金属を蒸着させることにより形成されている。平面鏡７８は、平面状の反射面を有している。平面鏡７８は、画像生成部３０から出射された光を、凹面鏡７６に向けて反射する。
【００４４】
凹面鏡７６は、平面鏡７８と対向し、平面鏡７８に対して凹状に湾曲する反射面を有している。凹面鏡７６の反射面の湾曲形状は、ウィンドシールド９０の湾曲によって生じる情報表示像１１及びインジケータ表示像１３の歪みを補正するように規定されている。凹面鏡７６は、平面鏡７８によって反射された光を、ウィンドシールド９０に向けて反射する。
【００４５】
アウターケース７０は、樹脂材料によって形成されている。アウターケース７０は、インナーケース６０及び反射鏡群７５等を収容している。アウターケース７０は、情報表示像１１及びインジケータ表示像１３が正しい位置に結像されるように、アウターケース７０及び反射鏡群７５の相対位置を正確に規定している。
【００４６】
次に、ヘッドアップディスプレイ装置１００の電気的構成について、図５に基づいて説明する。
【００４７】
ヘッドアップディスプレイ装置１００は、制御部８０を備えている。制御部８０は、各種の演算処理を行うプロセッサ、当該演算処理に用いられるプログラム及び表示画像３１（図４参照）の画像データ等が格納されたフラッシュメモリ、及び演算の作業領域として機能するＲＡＭ等によって構成されている。
【００４８】
制御部８０は、車内Ｌｏｃａｌ Ａｒｅａ Ｎｅｔｗｏｒｋ（ＬＡＮ）８１と接続されている。車内ＬＡＮ８１は、車両に搭載された種々の制御装置と接続されている。制御部８０は、燃料残量についての情報、ナビゲーション装置の指示する進行方向についての情報、及びＡＣＣ装置の作動状態についての情報等を、車内ＬＡＮ８１を通じて取得する。
【００４９】
制御部８０は、発光ダイオード２１及び液晶パネル３０ａと接続されている。制御部８０は、車内ＬＡＮ８１を通じて取得した車両の情報に基づいて、発光ダイオード２１への電流の印加することにより、発光ダイオード２１による光の放出を制御する。また、制御部８０は、車内ＬＡＮ８１を通じて取得した情報に基づいて、液晶パネル３０ａの各画素を制御することにより、液晶パネル３０ａに表示画像３１（図４参照）を形成させる。
【００５０】
（特徴部分）
以下、本発明の一実施形態によるヘッドアップディスプレイ装置１００の特徴部分について、図３及び図６に基づいてさらに詳細に説明する。
【００５１】
ヘッドアップディスプレイ装置１００は、インジケータ照明部４０及びインジケータフィルム５０をさらに備えている。
【００５２】
インジケータ照明部４０は、補助基板４６、発光ダイオード４１、及び導光プリズム４２を有している。補助基板４６は、液晶パネル３０ａの長手方向に沿って延伸する帯板状に形成された回路基板である。補助基板４６は、インナーケース６０に取り付けられている。補助基板４６において、導光プリズム４２と対向する実装面には、複数の発光ダイオード４１が実装されている。
【００５３】
発光ダイオード４１は、インジケータフィルム５０に供給される光を放出する光源部である。発光ダイオード４１は、電流の印加によって、例えば白色光を放出する。発光ダイオード４１は、補助基板４６の実装面に、液晶パネル３０ａの長手方向に沿って複数並べられている。複数の発光ダイオード４１は、導光プリズム４２に向けて光を放出する。発光ダイオード４１は、発光ダイオード２１（図４参照）と同様に、制御部８０（図５参照）と接続されている。制御部８０によって電流が印加されることにより、発光ダイオード４１は、光の放出を制御される。
【００５４】
導光プリズム４２は、発光ダイオード４１から放出された光をインジケータフィルム５０に導光する。導光プリズム４２は、アクリル樹脂又はポリカーボネート樹脂等の透光性の樹脂材料によって形成されている。導光プリズム４２は、入射面４２ａ、出射面４２ｂ、及び導光本体部４２ｃを形成している。入射面４２ａは、補助基板４６の実装面と対向するように、液晶パネル３０ａの長手方向に沿って延伸する平面である。出射面４２ｂは、液晶パネル３０ａの表示面に沿う平面であって、透過方向ＴＤ１を向いている。出射面４２ｂは、インジケータフィルム５０と対向するように、液晶パネル３０ａの長手方向に沿って延伸している。導光本体部４２ｃは、透過方向と交差する方向に入射面４２ａから導光プリズム４２内に入射する発光ダイオード４１の光の進行方向を、透過方向ＴＤ１に沿う方向である透過方向ＴＤ２に変更させる。以上の構成により、導光プリズム４２は、発光ダイオード４１から放出された光を、出射面４２ｂから透過方向ＴＤ２に出射させる。
【００５５】
インジケータフィルム５０は、透過方向ＴＤ１と直交する方向において画像生成部３０と並列に配置されている。インジケータフィルム５０は、インナーケース６０によって保持されている。インジケータフィルム５０は、液晶パネル３０ａの長手方向の外縁に沿って帯状に延伸している。インジケータフィルム５０は、透光性の樹脂材料によって形成された薄板状の部材である。インジケータフィルム５０には、印刷等によって、橙色光透過部５１が形成されている。
【００５６】
橙色光透過部５１は、インジケータ表示像１３の表示色及び形状等の表示態様に対応している。橙色光透過部５１における光の透過率は、液晶パネル３０ａに形成される表示画像３１の光の透過率よりも高い。具体的に、橙色光透過部５１は、黒色の遮光性の印刷と、オレンジ色として視認される周波数帯の光を主に透過させる透光性の印刷とをインジケータフィルム５０の基材に施すことにより、形成されている。橙色光透過部５１を形成している印刷は、延伸方向に沿って中央部から両端部に向かうに従い、オレンジ色から黒色に徐々に変化している。これにより、水平方向の中央部から両端部に向かって次第に輝度の漸減するグラデーションを有するインジケータ表示像１３（図２（ａ）等参照）が結像される。
【００５７】
インジケータフィルム５０は、発光ダイオード４１から放出され、導光プリズム４２によって導光された光を、橙色光透過部５１に透過させる。橙色光透過部５１を透過する光の透過方向ＴＤ２は、画像生成部３０の透過方向ＴＤ１に沿っている。以上のようにして、インジケータフィルム５０は、インジケータ表示像１３として結像される光を、インジケータ表示像１３の表示態様に対応するように生成する。
【００５８】
インナーケース６０のフロントプレート６５には、第二通過窓６５ｂ及び補助基板保持部６６がさらに形成されている。第二通過窓６５ｂは、液晶パネル３０ａの長手方向に延伸する帯状の開口である。第二通過窓６５ｂには、インジケータフィルム５０が嵌め込まれている。これにより、インジケータフィルム５０は、画像生成部３０の透過方向ＴＤ１に沿う透過方向ＴＤ２にインジケータ表示像１３として結像される光を出射させる姿勢にて、フロントプレート６５に保持される。インジケータフィルム５０から出射された光は、透過方向ＴＤ２に第二通過窓６５ｂを通過する。補助基板保持部６６は、第二通過窓６５ｂの延伸方向に沿い且つ第二通過窓６５ｂに最も近接しているフロントプレート６５の外縁に形成されている。補助基板保持部６６は、補助基板４６を保持している。
【００５９】
以上の構成において、ヘッドアップディスプレイ装置１００が情報表示像１１及びインジケータ表示像１３を表示する処理を、図７に基づいて詳細に説明する。図７のフローチャートに示す処理は、ヘッドアップディスプレイ装置１００の作動が運転者等によってＯＮにされることにより、制御部８０によって実施される。制御部８０による処理は、ヘッドアップディスプレイ装置１００の作動がＯＦＦにされるまで、繰り返される。
【００６０】
Ｓ１０１では、車内ＬＡＮ８１を通じて、車両の情報を取得する。Ｓ１０１において、情報表示像１１として表示すべき情報を取得した場合、Ｓ１０２に進む。Ｓ１０２では、Ｓ１０１にて取得した情報に対応する表示画像３１の画像データを、フラッシュメモリから読み込み、Ｓ１０３に進む。Ｓ１０３では、各発光ダイオード２１，４１への電流の印加と、液晶パネル３０ａの各画素の制御を開始し、処理フローを終了する。
【００６１】
図３〜図５に示されるように、Ｓ１０３の制御部８０の制御により、液晶パネル３０ａに表示画像３１が形成される。加えて、発光ダイオード２１の発光により、画像生成部３０は、情報表示像１１として結像される光を生成し、透過方向ＴＤ１に出射させる。さらに、発光ダイオード４１の発光により、インジケータフィルム５０は、インジケータ表示像１３として結像される光を生成し、透過方向ＴＤ２に出射させる。
【００６２】
情報表示像１１として結像される光及びインジケータ表示像１３として結像される光は、互いに並列で配置された画像生成部３０及びインジケータフィルム５０から、共に透過方向ＴＤ１，ＴＤ２に出射される。これらの光は、平面鏡７８、凹面鏡７６、及びウィンドシールド９０という実質的に同一の光路を経て、互いに並列して表示される情報表示像１１及びインジケータ表示像１３として空間中に結像される。これら情報表示像１１及びインジケータ表示像１３の表示は、Ｓ１０１にて取得した車両の情報が車内ＬＡＮ８１（図５参照）上から無くなるか、又は異なる車両の情報を制御部８０（図５参照）が取得するまで、継続される。
【００６３】
ここまで説明した本実施形態によれば、ウィンドシールド９０から情報表示像１１までの光路の距離ＬＰ１（図３  実線の矢印を参照）は、ウィンドシールド９０から、凹面鏡７６及び平面鏡７８を経て、画像生成部３０までの距離に一致する。また、ウィンドシールド９０からインジケータ表示像１３までの光路の距離ＬＰ２（図３  破線の矢印を参照）は、ウィンドシールド９０から、凹面鏡７６及び平面鏡７８を経て、インジケータフィルム５０までの距離に一致する。画像生成部３０及びインジケータフィルム５０から出射された光が互いに実質的に同一の光路を経ることにより、光路の距離ＬＰ１と光路の距離ＬＰ２との差は、低減される。以上により、情報表示像１１及びインジケータ表示像１３を視認する視認者は、少ない視点移動によって、これら情報表示像１１及びインジケータ表示像１３を知覚することができる。
【００６４】
さらに、情報表示像１１として結像される光を生成する画像生成部３０と、インジケータ表示像１３として結像される光を生成するインジケータフィルム５０とは、透過方向ＴＤ１と直交する方向において、並列に配置されている。故に、情報表示像１１に加えてインジケータ表示像１３を空間中に結像させるヘッドアップディスプレイ装置１００であっても、装置の大型化は、抑制される。
【００６５】
したがって、ヘッドアップディスプレイ装置１００は、省スペースでありながら、互いに輝度の異なる情報表示像１１及びインジケータ表示像１３を知覚し易く表示することができる。
【００６６】
加えて本実施形態によれば、ヘッドアップディスプレイ装置１００には、光源部として、画像生成部３０に供給される光を放出する発光ダイオード２１と、インジケータフィルム５０に供給される光を放出する発光ダイオード４１とが設けられている。故に、発光ダイオード２１に対する発光ダイオード４１の輝度の高さを確保することによって、インジケータ表示像１３は、情報表示像１１よりも、確実に高輝度にて表示され得る。以上により、ヘッドアップディスプレイ装置１００は、情報表示像１１及び情報表示像１１よりも確実に高輝度であるインジケータ表示像１３を、知覚し易く表示することができる。
【００６７】
また本実施形態によれば、発光ダイオード２１による光の放出と、発光ダイオード４１による光の放出とは、制御部８０によって共に制御される。故に、発光ダイオード２１及び発光ダイオード４１を、別々の構成によって制御する場合よりも、ヘッドアップディスプレイ装置１００は、小型化され得る。
【００６８】
さらに、情報表示像１１の表示されるタイミングと、インジケータ表示像１３の表示されるタイミングとは、共通の制御部８０によって、互いにずれを生じることなく的確に制御され得る。したがって、ヘッドアップディスプレイ装置１００は、確実に省スペースでありながら、知覚し易い情報表示像１１及びインジケータ表示像１３を的確なタイミングで表示することができる。
【００６９】
さらに本実施形態によれば、発光ダイオード４１から放出された光は、導光プリズム４２の導光作用によって、橙色光透過部５１に確実に導かれる。故に、発光ダイオード４１の位置にかかわらず、インジケータフィルム５０は、並列する画像生成部３０に近接して位置し得る。以上により、インジケータフィルム５０を備えるヘッドアップディスプレイ装置１００であっても、装置の大型化は、確実に抑制される。
【００７０】
さらに、導光プリズム４２は、発光ダイオード４１から放出された光の進行方向を、画像生成部３０の透過方向ＴＤ１に沿う透過方向ＴＤ２に変更し、橙色光透過部５１に透過させる。故に、橙色光透過部５１を透過する光は、表示画像３１を透過する光と実質的に同一の光路を確実に辿り得る。以上により、視認者は、少ない視点移動によって、これら情報表示像１１及びインジケータ表示像１３を確実に知覚することができる。したがって、ヘッドアップディスプレイ装置１００は、確実に省スペースでありながら、情報表示像１１及びインジケータ表示像１３をさらに知覚し易く表示することができる。
【００７１】
また加えて本実施形態によれば、ドットマトリクス方式の液晶パネル３０ａは、複数の表示画像３１を表示することができる。故に、液晶パネル３０ａを用いることで、ヘッドアップディスプレイ装置１００は、表示態様の異なる複数の情報表示像１１によって、種々の情報を表示することができる。一方で、液晶パネル３０ａの表示画像３１の光の透過率は、インジケータフィルム５０の橙色光透過部５１の光の透過率と比較して低い。故に、視認者の注意を惹くための十分な情報表示像１１の輝度が、確保され難くなる。
【００７２】
しかし、インジケータフィルム５０から出射される光は、情報表示像１１と並列し且つ情報表示像１１よりも高輝度なインジケータ表示像１３として結像される。故に、ヘッドアップディスプレイ装置１００は、インジケータ表示像１３によって視認者の注意を惹き、情報表示像１１によって種々の情報を視認者に示すことができる。以上のように、インジケータフィルム５０と液晶パネル３０ａを有する画像生成部３０とを備えることにより、ヘッドアップディスプレイ装置１００は、情報表示像１１及びインジケータ表示像１３の協働によって、種々の情報を視認者に知覚し易く表示できる。
【００７３】
さらに加えて本実施形態によれば、液晶パネル３０ａの長手方向の外縁に沿って帯状に延伸するインジケータフィルム５０は、液晶パネル３０ａと並列に配置されても、ヘッドアップディスプレイ装置１００の体積を増加させ難い。故に、ヘッドアップディスプレイ装置１００の大型化は、確実に抑制される。さらに、インジケータフィルム５０が帯状に延伸することにより、橙色光透過部５１の面積、ひいては結像されるインジケータ表示像１３の大きさは、拡大される。故に、インジケータ表示像１３は、視認者の注意を惹く作用を確実に発揮できる。これらにより、ヘッドアップディスプレイ装置１００は、確実に省スペースでありながら、情報表示像１１及びインジケータ表示像１３の協働によって、種々の情報を視認者にさらに知覚し易く表示できる。
【００７４】
またさらに本実施形態によれば、画像生成部３０を収容するインナーケース６０が、フロントプレート６５によってインジケータフィルム５０を保持している。故に、インジケータフィルム５０から出射される光の透過方向ＴＤ２は、画像生成部３０における光の透過方向ＴＤ１に、精度良く沿い得る。以上により、情報表示像１１及びインジケータ表示像１３は、空間中に正しく並んで結像される。故に、視認者は、少ない視点移動によって、これら情報表示像１１及びインジケータ表示像１３を確実に知覚することができる。
【００７５】
さらに、インナーケース６０がインジケータフィルム５０を保持するフロントプレート６５を有することにより、ヘッドアップディスプレイ装置１００は、インジケータフィルム５０を保持させるための構成を、インナーケース６０とは別に備えなくてもよくなる。故に、ヘッドアップディスプレイ装置１００の大型化は、確実に抑制される。これらにより、ヘッドアップディスプレイ装置１００は、確実に省スペースでありながら、情報表示像１１及びインジケータ表示像１３をさらに知覚し易く表示することができる。
【００７６】
尚、本実施形態において、情報表示像１１が特許請求の範囲に記載の「第一表示像」に相当し、インジケータ表示像１３が特許請求の範囲に記載の「第二表示像」に相当し、発光ダイオード２１が特許請求の範囲に記載の「光源部」及び「第一光源」に相当し、画像生成部３０が特許請求の範囲に記載の「第一表示像生成部」に相当し、表示画像３１が特許請求の範囲に記載の「透過部分」及び「第一透過部分」に相当し、発光ダイオード４１が特許請求の範囲に記載の「光源部」及び「第二光源」に相当し、導光プリズム４２が特許請求の範囲に記載の「導光部」に相当し、インジケータフィルム５０が特許請求の範囲に記載の「第二表示像生成部」に相当し、インナーケース６０が特許請求の範囲に記載の「筐体」に相当し、フロントプレート６５が特許請求の範囲に記載の「保持部」に相当し、制御部８０が特許請求の範囲に記載の「制御手段」に相当し、ウィンドシールド９０が特許請求の範囲に記載の「投影部材」に相当する。
【００７７】
（他の実施形態）
以上、本発明による一実施形態について説明したが、本発明は、上記実施形態に限定して解釈されるものではなく、本発明の要旨を逸脱しない範囲内において種々の実施形態及び組み合わせに適用することができる。
【００７８】
上記実施形態において、透過方向ＴＤ１に交差する方向に発光ダイオード４１から放出された光の進行方向は、透過方向ＴＤ１に沿う透過方向ＴＤ２に、導光プリズム４２によって変更されていた。しかし、発光ダイオード４１から放出された光を橙色光透過部５１に導光する「導光部」に相当する構成は、導光プリズム４２に限定されない。
【００７９】
例えば、図８に示されるように、ガラス等の板材にアルミニウム等の金属を蒸着させることにより形成された反射鏡２４２が、「導光部」として設けられていてもよい。反射鏡２４２は、帯板状に形成されており、液晶パネル３０ａの長手方向に延伸している。反射鏡２４２において金属の蒸着している反射面は、発光ダイオード４１及びインジケータフィルム５０と対向している。反射鏡２４２は、発光ダイオード４１から透過方向ＴＤ１に交差する方向に出射された光を、反射面によって透過方向ＴＤ２に反射する。以上のような反射鏡２４２の反射によって、発光ダイオード４１から放出された光は、橙色光透過部５１に導光される。又は、上述した導光プリズム４２及び反射鏡２４２等の「導光部」に相当する構成が、ヘッドアップディスプレイ装置から省略されていてもよい。インジケータフィルム５０の透過方向ＴＤ２とは反対側に「第二光源」に相当する発光ダイオードを配置することにより、「導光部」は省略され得る。
【００８０】
上記実施形態において、インジケータフィルム５０に形成された橙色光透過部５１に、発光ダイオード４１から放出された光を透過させることにより、インジケータ表示像１３として結像される光は、生成されていた。しかし、インジケータ表示像１３として結像される光を、透過方向ＴＤ１に沿って出射させる「第二表示像生成部」は、インジケータフィルム５０に限定されない。
【００８１】
例えば、図９に示されるように、補助基板３４６及び複数の発光ダイオード３４１が、「第二光源」と「第二表示像生成部」を兼ねた構成として、ヘッドアップディスプレイ装置に設けられていてもよい。補助基板３４６は、液晶パネル３０ａの長手方向に沿って延伸する帯板状であって、透過方向ＴＤ１と直交する方向において画像生成部３０と並列に配置されている。補助基板３４６の実装面は、透過方向ＴＤ１に向けられている。複数の発光ダイオード３４１は、補助基板３４６の実装面に、液晶パネル３０ａの長手方向に沿って、並んで配置されている。以上の構成により、複数の発光ダイオード３４１は、インジケータ表示像の表示態様に対応するように生成した光を、透過方向ＴＤ１に沿う出射方向ＯＤ２に出射させることができる。又は、上述した補助基板３４６及び複数の発光ダイオード３４１に換えて、透過方向ＴＤ１に沿う出射方向ＯＤ２に光を出射させる冷陰極管及びエレクトロルミネセンス等が、ヘッドアップディスプレイ装置に設けられていてもよい。
【００８２】
上記実施形態において、インジケータフィルム５０が、透過方向ＴＤ１と直交する方向において画像生成部３０と並列に配置されていた。しかし、インジケータフィルム等の「第二表示像生成部」は、画像生成部等の「第一表示像生成部」の透過方向ＴＤ１と交差する方向に、隣り合うようにして、並列で配置されていればよい。例えば、隣接して配置される「第一表示像生成部」及び「第二表示像生成部」のうち、「第一表示像生成部」が「第二表示像生成部」よりも透過方向ＴＤ１にずれて位置していてもよい。又は、「第二表示像生成部」が「第一表示像生成部」よりも透過方向ＴＤ１にずれて位置していてもよい。
【００８３】
上記実施形態において、画像生成部３０に供給される光を放出する発光ダイオード２１と、インジケータフィルム５０に供給される光を放出する発光ダイオード４１とは、別々に設けられていた。しかし、情報表示像よりもインジケータ表示像の輝度を高くすることができれば、「第一表示像生成部」及び「第二表示像生成部」には、共通の「光源部」から放出された光が供給されてもよい。
【００８４】
上記実施形態において、光を放出する構成として、発光ダイオード２１，４１が用いられていた。しかし、「第一光源」及び「第二光源」として、冷陰極管、エレクトロルミネセンス、及び半導体レーザー光源等が、適宜用いられてよい。
【００８５】
上記実施形態において、発光ダイオード２１による光の放出と、発光ダイオード４１による光の放出とは、共通の制御部８０によって制御されていた。しかし、別々の制御部が、車内ＬＡＮから車両の情報をそれぞれ取得することにより、発光ダイオード２１及び発光ダイオード４１による光の放出を、個々に制御していてもよい。
【００８６】
上記実施形態において、画像生成部３０は、「第一表示像生成部」として、液晶パネル３０ａに種々の表示画像３１を形成させていた。しかし、「第一表示像生成部」は、液晶パネル３０ａを有する構成に限定されない。例えば、インジケータフィルム５０のように、透光性の板材に、透光性の印刷によって透光部分を形成したものが、「第一表示像生成部」に相当する構成として、ヘッドアップディスプレイ装置に設けられていてもよい。
【００８７】
上記実施形態において、インジケータフィルム５０は、液晶パネル３０ａの長手方向に帯状に延伸する形状であった。しかし、インジケータフィルムの形状は、上記実施形態の形状に限定されない。例えば、インジケータフィルムは、液晶パネル３０ａの長手方向と直交する方向に帯状に延伸する形状であってもよい。又は、インジケータフィルムは、液晶パネル３０ａの外縁に沿うように、複数設けられていてもよい。
【００８８】
上記実施形態において、インジケータフィルム５０に印刷によって形成された橙色光透過部５１が、「第二透過部分」に相当していた。しかし、「第二透過部分」の形態は、インジケータ表示像の表示態様に対応するよう適宜変更されてよい。例えば、赤色に視認される周波数帯の光を主に透過させる「第二透過部分」が、「第二表示像生成部」に形成されていてもよい。
【００８９】
上記実施形態において、インナーケース６０が、液晶パネル照明部２０及び画像生成部３０と共に、インジケータ照明部４０及びインジケータフィルム５０を収容していた。しかし、液晶パネル照明部及び画像生成部等を収容する筐体と、インジケータ照明部及びインジケータフィルムを収容する筐体とは、一体でなくてもよい。例えば、液晶パネル照明部及び画像生成部等を収容する筐体と、インジケータ照明部及びインジケータフィルムを収容する筐体とは、別々にアウターケースに固定されていてもよい。
【００９０】
上記実施形態において、ヘッドアップディスプレイ装置１００は、情報表示像１１及びインジケータ表示像１３として結像される光をウィンドシールド９０に投影していた。しかし、例えばインスツルメントパネル９１の上面に設置されたコンバイナ等の透光性の板材に、光を投影するヘッドアップディスプレイ装置であってもよい。
【００９１】
上記実施形態では、情報表示像１１によって視認者に報知される情報として、燃料残量についての情報、ナビゲーション装置の指示する進行方向についての情報、及びＡＣＣ装置の作動状態についての情報等が例示されていた（図２（ａ）〜（ｃ）参照）。しかし、上述したもの以外の情報が、「第一表示像」によって視認者に報知されてもよい。また、「第二表示像」が、視認者の視線を惹きつける機能だけでなく、視認者に情報を報知する機能を有していてもよい。以上のように、「第一表示像」及び「第二表示像」の発光色及び形状といった表示態様は、適宜変更されてよい。
【符号の説明】
【００９２】
ＬＰ１，ＬＰ２  光路の距離、ＯＡ１，ＯＡ２  光軸、ＴＤ１，ＴＤ２  透過方向、ＯＤ２  出射方向、１１  情報表示像（第一表示像）、１３  インジケータ表示像（第二表示像）、１５  情報投影領域、１７  インジケータ投影領域、２０  液晶パネル照明部、２１  発光ダイオード（光源部，第一光源）、２３  第一レンズ、２３ａ  入射面、２３ｂ  出射面、２４  第二レンズ、２４ａ  入射面、２４ｂ  出射面、２５  拡散板、２６  主基板、３０  画像生成部（第一表示像生成部）、３０ａ  液晶パネル、３１  表示画像（透過部分，第一透過部分）、４０  インジケータ照明部、４１  発光ダイオード（光源部，第二光源）、３４１  発光ダイオード（光源部，第二光源，第二表示像生成部）、４２  導光プリズム（導光部）、４２ａ  入射面、４２ｂ  出射面、４２ｃ  導光本体部（導光部）、２４２  反射鏡、４６，３４６  補助基板、５０  インジケータフィルム（第二表示像生成部）、５１  橙色光透過部、６０  インナーケース（筐体）、６１  リヤカバー、６２  リヤケース部、６３  フロントケース部、６５  フロントプレート（保持部）、６５ａ  第一通過窓、６５ｂ  第二通過窓、６６  補助基板保持部、７０  アウターケース、７５  反射鏡群、７６  凹面鏡、７８  平面鏡、８０  制御部（制御手段）、８１  車内ＬＡＮ、９０  ウィンドシールド（投影部材）、９１  インスツルメントパネル、１００  ヘッドアップディスプレイ装置
【図１】
2012163705.tif 000003
【図３】
2012163705.tif 000004
【図４】
2012163705.tif 000005
【図５】
2012163705.tif 000006
【図６】
2012163705.tif 000007
【図７】
2012163705.tif 000008
【図８】
2012163705.tif 000009
【図９】
2012163705.tif 000010
【図２】
2012163705.tif 000011